(57)【要約】【課題】本発明の課題は、ケーブルをスイッチボックスから引き通しＯＮＵ等で成端した後にも、簡易にアウトレットを作成することができる通信アウトレットを提供することにある。【解決手段】本発明は、配線用配管２１が設けられたスイッチボックス２２内に設けられ、光ファイバケーブル２３を通す外部に開口した通線穴１２が設けられたコンセント対応ユニット１１と、枠本体の一部にケーブルを枠内に導入するための切断部１４が設けられる固定用取付枠１３と、枠本体の一部にケーブルを枠内に導入するための切断部１６が設けられた飾り枠用取付枠１５と、枠本体の一部にケーブルを枠内に導入するための切断部１８が設けられた飾り枠１７と、フェースプレート本体の一部にケーブルを内部の穴内に導入するための切断部２０が設けられたフェースプレート１９とを具備することを特徴とする。【選択図】      図２
2005202193.tif 000002
【特許請求の範囲】
【請求項１】
配線用配管が設けられたスイッチボックスと、
前記スイッチボックス内に設けられ、ケーブルを通す外部に開口した通線穴が設けられたコンセント対応ユニットと、
枠本体の一部にケーブルを枠内に導入するための切断部が設けられ、前記コンセント対応ユニットを前記スイッチボックス内に取り付ける固定用取付枠と、
前記スイッチボックスに取り付けられ、枠本体の一部にケーブルを枠内に導入するための切断部が設けられた飾り枠用取付枠と、
前記飾り枠用取付枠により前記スイッチボックスに取り付けられ、枠本体の一部にケーブルを枠内に導入するための切断部が設けられた飾り枠と、
前記飾り枠に取り付けられ、フェースプレート本体の一部にケーブルを内部の穴内に導入するための切断部が設けられたフェースプレートと
を具備することを特徴とする通信アウトレット。
【請求項２】
通信アウトレットのスイッチボックス内に設けられ、ケーブルを通す外部に開口した通線穴が設けられたことを特徴とするコンセント対応ユニット。
【請求項３】
通信アウトレットのコンセント対応ユニットをスイッチボックス内に取り付ける固定用取付枠であって、
枠本体の一部にケーブルを枠内に導入するための厚さ方向にクランク状に切り込んだ切断部が設けられたことを特徴とする固定用取付枠。
【請求項４】
通信アウトレットの飾り枠をスイッチボックスに取り付ける飾り枠用取付枠であって、
枠本体の一部にケーブルを枠内に導入するための厚さ方向にクランク状に切り込んだ切断部が設けられたことを特徴とする飾り枠用取付枠。
【請求項５】
通信アウトレットの飾り枠用取付枠によりスイッチボックスに取り付けられる飾り枠であって、
枠本体の一部にケーブルを枠内に導入するための厚さ方向にクランク状に切り込んだ切断部が設けられたことを特徴とする飾り枠。
【請求項６】
通信アウトレットの飾り枠に取り付けられるフェースプレートであって、
フェースプレート本体の一部にケーブルを内部の穴内に導入するための厚さ方向にクランク状に切り込んだ切断部が設けられたことを特徴とするフェースプレート。
【発明の詳細な説明】
【技術分野】
【０００１】
本発明は、建物内の例えばパソコン、電話機等の通信機器に接続された光ファイバケーブル等の通信線を引き通し配線する通信アウトレット、通信アウトレットを構成するコンセント対応ユニット、取付枠及びフェースプレートに関するものである。
【背景技術】
【０００２】
従来、埋め込み型の通信アウトレットでは電源線や同軸ケーブル、電話線、ＵＴＰケーブルなどが成端され、必要なときにコンセントにコネクタを接続していつでも利用できるようになっている。
【０００３】
また昨今のブロードバンド環境の普及によるＦＴＴＨの普及とともに光ファイバケーブルを屋内に引き込むことが一般化してきた。
【０００４】
そのため、新たに光ファイバケーブルを通信アウトレットの部分で成端する必要が発生している。しかし光ファイバケーブルの曲率半径は、現在一般的なものでＲ＝３０ｍｍであり、通信アウトレット後部のスイッチボックスでの余長収納や接続が難しく、現時点でさまざまな提案が行われているものの普及には至っていない。そこで現在は通信アウトレット部での成端は行わず、通信アウトレット部分に穴の開いたコンセント対応ユニットを増設し、光ファイバケーブルをコンセント対応ユニットの穴を通して部屋内に引き込みＯＮＵで成端することによって対応している。
【０００５】
【特許文献１】特許第２７９３１８３号公報
【特許文献２】特開昭６３−２５７７０７号公報
【特許文献３】特開平６−１６０６６９号公報
【発明の開示】
【発明が解決しようとする課題】
【０００６】
しかし、通信アウトレットは従来、ケーブルが成端されることを前提としており、ケーブルを切らずに引き通す施工をした場合、施工性が著しく悪くなる。例えば光ファイバケーブルを引き通すことを考えた場合、まずケーブルをコンセント対応ユニットの穴を通し、固定用取付枠を通し、飾り枠用取付枠を通し、外の飾り枠を通し、そしてフェースプレートを予め通した上で、通信アウトレットを作成し、その後にＯＮＵ等での成端となる。
【０００７】
そこで、光ファイバケーブルを通す順番を間違える、部品を通し忘れるといったケアレスミスの後にＯＮＵ等で成端した場合、光ファイバケーブルの接続部を切断して、再度やり直しという結果となる。
【０００８】
また部屋内に光ファイバケーブルを長距離引き回すといった場合にはフェースプレート、取付枠、及び飾り枠を長距離分通さなくてはならないといった問題もある。
【０００９】
本発明は上記の事情に鑑みてなされたもので、ケーブルをスイッチボックスから引き通しＯＮＵ等で成端した後にも、簡易にアウトレットを作成することができる通信アウトレット、コンセント対応ユニット、取付枠及びフェースプレートを提供することを目的とする。
【課題を解決するための手段】
【００１０】
上記目的を達成するために本発明の通信アウトレットは、配線用配管が設けられたスイッチボックスと、前記スイッチボックス内に設けられ、ケーブルを通す外部に開口した通線穴が設けられたコンセント対応ユニットと、枠本体の一部にケーブルを枠内に導入するための切断部が設けられ、前記コンセント対応ユニットを前記スイッチボックス内に取り付ける固定用取付枠と、前記スイッチボックスに取り付けられ、枠本体の一部にケーブルを枠内に導入するための切断部が設けられた飾り枠用取付枠と、前記飾り枠用取付枠により前記スイッチボックスに取り付けられ、枠本体の一部にケーブルを枠内に導入するための切断部が設けられた飾り枠と、前記飾り枠に取り付けられ、フェースプレート本体の一部にケーブルを内部の穴内に導入するための切断部が設けられたフェースプレートとを具備することを特徴とするものである。
【００１１】
また本発明のコンセント対応ユニットは、通信アウトレットのスイッチボックス内に設けられ、ケーブルを通す外部に開口した通線穴が設けられたことを特徴とするものである。
【００１２】
また本発明は、通信アウトレットのコンセント対応ユニットをスイッチボックス内に取り付ける固定用取付枠であって、枠本体の一部にケーブルを枠内に導入するための厚さ方向にクランク状に切り込んだ切断部が設けられたことを特徴とするものである。
【００１３】
また本発明は、通信アウトレットの飾り枠をスイッチボックスに取り付ける飾り枠用取付枠であって、枠本体の一部にケーブルを枠内に導入するための厚さ方向にクランク状に切り込んだ切断部が設けられたことを特徴とするものである。
【００１４】
また本発明は、通信アウトレットの飾り枠用取付枠によりスイッチボックスに取り付けられる飾り枠であって、枠本体の一部にケーブルを枠内に導入するための厚さ方向にクランク状に切り込んだ切断部が設けられたことを特徴とするものである。
【００１５】
また本発明は、通信アウトレットの飾り枠に取り付けられるフェースプレートであって、フェースプレート本体の一部にケーブルを内部の穴内に導入するための厚さ方向にクランク状に切り込んだ切断部が設けられたことを特徴とするものである。
【発明の効果】
【００１６】
本発明は、ケーブルを通した後にアウトレットを作成することができ、ケアレスミスによる施工の手戻りをなくし、フェースプレートの枠内にケーブルを長距離通すような施工上の負担を軽減することができる。
【発明を実施するための最良の形態】
【００１７】
以下図面を参照して本発明の実施の形態例を詳細に説明する。
図１は本発明の実施形態例に係る通信アウトレットの構成部品を示す分解斜視図である。すなわち、通信アウトレットは、図示しない建物内の壁内に埋め込まれるスイッチボックスに配線用配管が設けられ、この配線用配管内にケーブルを通して外部から配線される。前記スイッチボックス内にはモジュラジャック等のコンタクトに対応したコンタクト対応ユニット１１が設けられ、このコンタクト対応ユニット１１にはケーブルを通す外部に開口した通線穴１２が設けられる。
【００１８】
固定用取付枠１３は前記コンセント対応ユニット１１を前記スイッチボックス内に取り付けるもので、枠本体の一部にケーブルを枠内に導入するための切断部１４が設けられる。この切断部１４は平面が２つの略Ｌ字の一辺を共通にしたクランク状に形成されると共に枠本体の厚さ方向にクランク状に切り込みが形成され、通常は切断部１４を開き難くして切断部１４の強度を補強する構造にする。
【００１９】
飾り枠用取付枠１５は前記スイッチボックスに取り付けられ、枠本体の一部にケーブルを枠内に導入するための切断部１６が設けられる。この切断部１６は平面が２つの略Ｌ字の一辺を共通にしたクランク状に形成されると共に枠本体の厚さ方向にクランク状に切り込みが形成され、通常は切断部１６を開き難くして切断部１６の強度を補強する構造にする。
【００２０】
飾り枠１７は前記飾り枠用取付枠１５により前記スイッチボックスに取り付けられ、枠本体の一部にケーブルを枠内に導入するための切断部１８が設けられる。この切断部１８は平面が２つの略Ｌ字の一辺を共通にしたクランク状に形成されると共に枠本体の厚さ方向にクランク状に切り込みが形成され、通常は切断部１８を開き難くして切断部１８の強度を補強する構造にする。
【００２１】
フェースプレート１９は前記飾り枠１７に取り付けられ、フェースプレート本体の一部にケーブルを内部の穴内に導入するための切断部２０が設けられる。この切断部２０は平面が２つの略Ｌ字の一辺を共通にしたクランク状に形成されると共にフェースプレート本体の厚さ方向にクランク状に切り込みが形成され、通常は切断部２０を開き難くして切断部２０の強度を補強する構造にする。
【００２２】
図２は本発明の実施形態例に係る通信アウトレットの使用例を示す分解斜視図である。図中、図１と同一部分は同一符号を付してその説明を省略する。すなわち、配線用配管２１を有するスイッチボックス２２から光ファイバケーブル２３を引き通しＯＮＵ等で成端する。その後、コンタクト対応ユニット１１の通線穴１２に光ファイバケーブル２３を導入し、固定用取付枠１３の切断部１４を強制的に押し開いて光ファイバケーブル２３を枠内に導入し、コンタクト対応ユニット１１を固定用取付枠１３に固定する。その後、固定用取付枠１３をスイッチボックス２２に固定する。その後、飾り枠用取付枠１５の切断部１６を強制的に押し開いて光ファイバケーブル２３を枠内に導入し、飾り枠用取付枠１５をスイッチボックス２２に固定する。その後、飾り枠１７の切断部１８を強制的に押し開いて光ファイバケーブル２３を枠内に導入すると共に、フェースプレート１９の切断部２０を強制的に押し開いて光ファイバケーブル２３を枠内に導入し、飾り枠１７及びフェースプレート１９を飾り枠用取付枠１５にそれぞれ固定する。このように、事前にケーブルをアウトレット構成部品の内部に引き通すことなく通信アウトレットを作成することができる。
【００２３】
以上のように、ケーブルを引き通した後に通信アウトレットを作成することができるため、ケアレスミスによる施工の手戻りをなくし、フェースプレートの内部の穴内にケーブルを長距離通すような施工上の負担を軽減することができる。
【００２４】
なお、本発明は、上記実施形態例そのままに限定されるものではなく、実施段階ではその要旨を逸脱しない範囲で構成要素を変形して具体化できる。また、上記実施形態例に開示されている複数の構成要素の適宜な組み合せにより種々の発明を形成できる。例えば、実施形態例に示される全構成要素から幾つかの構成要素を削除してもよい。
【図面の簡単な説明】
【００２５】
【図１】本発明の実施形態例に係る通信アウトレットの構成部品を示す分解斜視図である。
【図２】本発明の実施形態例に係る通信アウトレットの使用例を示す分解斜視図である。
【符号の説明】
【００２６】
１１    コンタクト対応ユニット
１２    通線穴
１３    固定用取付枠
１４    切断部
１５    飾り枠用取付枠
１６    切断部
１７    飾り枠
１８    切断部
１９    フェースプレート
２０    切断部
２１    配線用配管
２２    スイッチボックス
２３    光ファイバケーブル
【図１】
2005202193.tif 000003
【図２】
2005202193.tif 000004